(57)【要約】【課題】ノズルタッチ時間の短縮と、ノズルタッチによる衝撃の低減とを両立できる、射出成形機の提供。【解決手段】金型装置内に成形材料を射出するノズルを含む射出装置と、前記金型装置に対し前記射出装置を進退させる液圧アクチュエータ、前記液圧アクチュエータを駆動する液圧ポンプ、および前記液圧ポンプを作動させるモータを含む移動装置と、前記モータを制御して、前記金型装置に対し前記射出装置を前進させ、前記金型装置に前記ノズルを押し付ける制御装置と、前記金型装置に前記ノズルがタッチするまでの残りの前進距離が所定距離であることを示す被検知物の存在を検知する存在検知器とを備え、前記制御装置は、前記存在検知器の検知結果に基づき、前記金型装置に前記ノズルがタッチする前に、前記モータの回転数を小さくすることにより前記射出装置の前進速度を低下させる、射出成形機。【選択図】図５
2018122507.tif 000002
【特許請求の範囲】
【請求項１】
金型装置内に成形材料を射出するノズルを含む射出装置と、
前記金型装置に対し前記射出装置を進退させる液圧アクチュエータ、前記液圧アクチュエータを駆動する液圧ポンプ、および前記液圧ポンプを作動させるモータを含む移動装置と、
前記モータを制御して、前記金型装置に対し前記射出装置を前進させ、前記金型装置に前記ノズルを押し付ける制御装置と、
前記金型装置に前記ノズルがタッチするまでの残りの前進距離が所定距離であることを示す被検知物の存在を検知する存在検知器とを備え、
前記制御装置は、前記存在検知器の検知結果に基づき、前記金型装置に前記ノズルがタッチする前に、前記モータの回転数を小さくすることにより前記射出装置の前進速度を低下させる、射出成形機。
【請求項２】
前記制御装置は、前記存在検知器による前記被検知物の存在の検知から、前記射出装置の前進速度の低下までの遅延時間を設定する、請求項１に記載の射出成形機。
【請求項３】
前記存在検知器および前記被検知物は、一方が前記射出装置と共に進退し、他方が前記射出装置を進退自在に支持するフレームに取付けられる、請求項１または２に記載の射出成形機。
【請求項４】
前記存在検知器および前記被検知物のうち前記フレームに取付けられるものの取付位置を前後方向に調整する調整機構を備える、請求項３に記載の射出成形機。
【請求項５】
前記存在検知器および前記被検知物のうち前記射出装置に取付けられるものの取付位置を前後方向に調整する調整機構を備える、請求項３または４に記載の射出成形機。
【発明の詳細な説明】
【技術分野】
【０００１】
本発明は、射出成形機に関する。
【背景技術】
【０００２】
特許文献１に記載の射出成形機は、射出装置を移動するための駆動源として設けられた液圧アクチュエータと、液圧アクチュエータを駆動するための両方向回転可能なポンプと、ポンプを作動させるモータとを有する。射出装置は、樹脂を溶融するシリンダと、シリンダ内で溶融した樹脂を計量しノズルから吐出するためのスクリュとを有しており、ノズルを金型の樹脂供給部に押し付けて金型内に溶融樹脂を射出注入する。
【先行技術文献】
【特許文献】
【０００３】
【特許文献１】特開２００６−６２２４４号公報
【発明の概要】
【発明が解決しようとする課題】
【０００４】
従来、液圧ポンプを作動させるモータを制御して射出装置の前進を制御するため、射出装置の位置を正確に制御できず、射出装置のノズルが金型装置にタッチするときの衝撃が大きかった。ノズルタッチによる衝撃を低減するためには、液圧ポンプを作動させるモータの回転数を小さくすればよいが、その場合、射出装置の前進速度が低下するため、射出装置の前進開始からノズルタッチまでにかかる時間（以下、「ノズルタッチ時間」とも呼ぶ。）が長くなってしまう。
【０００５】
本発明は、上記課題に鑑みてなされたものであって、ノズルタッチ時間の短縮と、ノズルタッチによる衝撃の低減とを両立できる、射出成形機の提供を主な目的とする。
【課題を解決するための手段】
【０００６】
上記課題を解決するため、本発明の一態様によれば、
金型装置内に成形材料を射出するノズルを含む射出装置と、
前記金型装置に対し前記射出装置を進退させる液圧アクチュエータ、前記液圧アクチュエータを駆動する液圧ポンプ、および前記液圧ポンプを作動させるモータを含む移動装置と、
前記モータを制御して、前記金型装置に対し前記射出装置を前進させ、前記金型装置に前記ノズルを押し付ける制御装置と、
前記金型装置に前記ノズルがタッチするまでの残りの前進距離が所定距離であることを示す被検知物の存在を検知する存在検知器とを備え、
前記制御装置は、前記存在検知器の検知結果に基づき、前記金型装置に前記ノズルがタッチする前に、前記モータの回転数を小さくすることにより前記射出装置の前進速度を低下させる、射出成形機が提供される。
【発明の効果】
【０００７】
本発明の一態様によれば、ノズルタッチ時間の短縮と、ノズルタッチによる衝撃の低減とを両立できる、射出成形機が提供される。
【図面の簡単な説明】
【０００８】
【図１】一実施形態による射出成形機の型開完了時の状態を示す図である。
【図２】一実施形態による射出成形機の型締時の状態を示す図である。
【図３】一実施形態による射出装置の前進開始時の状態を示す図である。
【図４】一実施形態による射出装置の前進途中の状態を示す図である。
【図５】一実施形態による制御装置の処理を示すフローチャートである。
【図６】一実施形態による射出装置の前進速度とノズルタッチまでの残りの前進距離との関係を示す図である。
【発明を実施するための形態】
【０００９】
以下、本発明を実施するための形態について図面を参照して説明するが、各図面において、同一の又は対応する構成については同一の又は対応する符号を付して説明を省略する。
【００１０】
（射出成形機）
図１は、一実施形態による射出成形機の型開完了時の状態を示す図である。図２は、一実施形態による射出成形機の型締時の状態を示す図である。図１〜図２に示すように、射出成形機は、型締装置１００と、エジェクタ装置２００と、射出装置３００と、移動装置４００と、制御装置７００とを有する。以下、射出成形機の各構成要素について説明する。
【００１１】
（型締装置）
型締装置１００の説明では、型閉時の可動プラテン１２０の移動方向（図１および図２中右方向）を前方とし、型開時の可動プラテン１２０の移動方向（図１および図２中左方向）を後方として説明する。
【００１２】
型締装置１００は、金型装置１０の型閉、型締、型開を行う。型締装置１００は例えば横型であって、型開閉方向が水平方向である。型締装置１００は、固定プラテン１１０、可動プラテン１２０、トグルサポート１３０、タイバー１４０、トグル機構１５０、型締モータ１６０、運動変換機構１７０、および型厚調整機構１８０を有する。
【００１３】
固定プラテン１１０は、フレームＦｒに対し固定される。固定プラテン１１０における可動プラテン１２０との対向面に固定金型１１が取付けられる。
【００１４】
可動プラテン１２０は、フレームＦｒに対し型開閉方向に移動自在とされる。フレームＦｒ上には、可動プラテン１２０を案内するガイド１０１が敷設される。可動プラテン１２０における固定プラテン１１０との対向面に可動金型１２が取付けられる。
【００１５】
固定プラテン１１０に対し可動プラテン１２０を進退させることにより、型閉、型締、型開が行われる。固定金型１１と可動金型１２とで金型装置１０が構成される。
【００１６】
トグルサポート１３０は、固定プラテン１１０と間隔をおいて連結され、フレームＦｒ上に型開閉方向に移動自在に載置される。尚、トグルサポート１３０は、フレームＦｒ上に敷設されるガイドに沿って移動自在とされてもよい。トグルサポート１３０のガイドは、可動プラテン１２０のガイド１０１と共通のものでもよい。
【００１７】
尚、本実施形態では、固定プラテン１１０がフレームＦｒに対し固定され、トグルサポート１３０がフレームＦｒに対し型開閉方向に移動自在とされるが、トグルサポート１３０がフレームＦｒに対し固定され、固定プラテン１１０がフレームＦｒに対し型開閉方向に移動自在とされてもよい。
【００１８】
タイバー１４０は、固定プラテン１１０とトグルサポート１３０とを型開閉方向に間隔Ｌをおいて連結する。タイバー１４０は、複数本用いられてよい。各タイバー１４０は、型開閉方向に平行とされ、型締力に応じて伸びる。少なくとも１本のタイバー１４０には、タイバー１４０の歪を検出するタイバー歪検出器１４１が設けられる。タイバー歪検出器１４１は、その検出結果を示す信号を制御装置７００に送る。タイバー歪検出器１４１の検出結果は、型締力の検出などに用いられる。
【００１９】
尚、本実施形態では、型締力を検出する型締力検出器として、タイバー歪検出器１４１が用いられるが、本発明はこれに限定されない。型締力検出器は、歪みゲージ式に限定されず、圧電式、容量式、油圧式、電磁式などでもよく、その取付け位置もタイバー１４０に限定されない。
【００２０】
トグル機構１５０は、可動プラテン１２０とトグルサポート１３０との間に配設され、トグルサポート１３０に対し可動プラテン１２０を型開閉方向に移動させる。トグル機構１５０は、クロスヘッド１５１、一対のリンク群などで構成される。各リンク群は、ピンなどで屈伸自在に連結される第１リンク１５２および第２リンク１５３を有する。第１リンク１５２は可動プラテン１２０に対しピンなどで揺動自在に取付けられ、第２リンク１５３はトグルサポート１３０に対しピンなどで揺動自在に取付けられる。第２リンク１５３は、第３リンク１５４を介してクロスヘッド１５１に取付けられる。トグルサポート１３０に対しクロスヘッド１５１を進退させると、第１リンク１５２および第２リンク１５３が屈伸し、トグルサポート１３０に対し可動プラテン１２０が進退する。
【００２１】
尚、トグル機構１５０の構成は、図１および図２に示す構成に限定されない。例えば図１および図２では、各リンク群の節点の数が５つであるが、４つでもよく、第３リンク１５４の一端部が、第１リンク１５２と第２リンク１５３との節点に結合されてもよい。
【００２２】
型締モータ１６０は、トグルサポート１３０に取付けられており、トグル機構１５０を作動させる。型締モータ１６０は、トグルサポート１３０に対しクロスヘッド１５１を進退させることにより、第１リンク１５２および第２リンク１５３を屈伸させ、トグルサポート１３０に対し可動プラテン１２０を進退させる。型締モータ１６０は、運動変換機構１７０に直結されるが、ベルトやプーリなどを介して運動変換機構１７０に連結されてもよい。
【００２３】
運動変換機構１７０は、型締モータ１６０の回転運動をクロスヘッド１５１の直線運動に変換する。運動変換機構１７０は、ねじ軸１７１と、ねじ軸１７１に螺合するねじナット１７２とを含む。ねじ軸１７１と、ねじナット１７２との間には、ボールまたはローラが介在してよい。
【００２４】
型締装置１００は、制御装置７００による制御下で、型閉工程、型締工程、型開工程などを行う。
【００２５】
型閉工程では、型締モータ１６０を駆動してクロスヘッド１５１を設定速度で型閉完了位置まで前進させることにより、可動プラテン１２０を前進させ、可動金型１２を固定金型１１にタッチさせる。クロスヘッド１５１の位置や速度は、例えば型締モータ１６０のエンコーダ１６１などを用いて検出する。エンコーダ１６１は、型締モータ１６０の回転を検出し、その検出結果を示す信号を制御装置７００に送る。
【００２６】
型締工程では、型締モータ１６０をさらに駆動してクロスヘッド１５１を型閉完了位置から型締位置までさらに前進させることで型締力を生じさせる。型締時に可動金型１２と固定金型１１との間にキャビティ空間１４が形成され、射出装置３００がキャビティ空間１４に液状の成形材料を充填する。充填された成形材料が固化されることで、成形品が得られる。キャビティ空間１４の数は複数でもよく、その場合、複数の成形品が同時に得られる。
【００２７】
型開工程では、型締モータ１６０を駆動してクロスヘッド１５１を設定速度で型開完了位置まで後退させることにより、可動プラテン１２０を後退させ、可動金型１２を固定金型１１から離間させる。その後、エジェクタ装置２００が可動金型１２から成形品を突き出す。
【００２８】
型閉工程および型締工程における設定条件は、一連の設定条件として、まとめて設定される。例えば、型閉工程および型締工程におけるクロスヘッド１５１の速度や位置（速度の切替位置、型閉完了位置、型締位置を含む）は、一連の設定条件として、まとめて設定される。尚、クロスヘッド１５１の速度や位置などの代わりに、可動プラテン１２０の速度や位置などが設定されてもよい。
【００２９】
ところで、トグル機構１５０は、型締モータ１６０の駆動力を増幅して可動プラテン１２０に伝える。その増幅倍率は、トグル倍率とも呼ばれる。トグル倍率は、第１リンク１５２と第２リンク１５３とのなす角θ（以下、「リンク角度θ」とも呼ぶ）に応じて変化する。リンク角度θは、クロスヘッド１５１の位置から求められる。リンク角度θが１８０°のとき、トグル倍率が最大になる。
【００３０】
金型装置１０の交換や金型装置１０の温度変化などにより金型装置１０の厚さが変化した場合、型締時に所定の型締力が得られるように、型厚調整が行われる。型厚調整では、例えば可動金型１２が固定金型１１にタッチする型タッチの時点でトグル機構１５０のリンク角度θが所定の角度になるように、固定プラテン１１０とトグルサポート１３０との間隔Ｌを調整する。
【００３１】
型締装置１００は、固定プラテン１１０とトグルサポート１３０との間隔Ｌを調整することで、型厚調整を行う型厚調整機構１８０を有する。型厚調整機構１８０は、タイバー１４０の後端部に形成されるねじ軸１８１と、トグルサポート１３０に回転自在に保持されるねじナット１８２と、ねじ軸１８１に螺合するねじナット１８２を回転させる型厚調整モータ１８３とを有する。
【００３２】
ねじ軸１８１およびねじナット１８２は、タイバー１４０ごとに設けられる。型厚調整モータ１８３の回転は、ベルトやプーリなどで構成される回転伝達部１８５を介して複数のねじナット１８２に伝達されてよい。複数のねじナット１８２を同期して回転できる。尚、回転伝達部１８５の伝達経路を変更することで、複数のねじナット１８２を個別に回転することも可能である。
【００３３】
尚、回転伝達部１８５は、ベルトやプーリなどの代わりに、歯車などで構成されてもよい。この場合、各ねじナット１８２の外周に受動歯車が形成され、型厚調整モータ１８３の出力軸には駆動歯車が取付けられ、複数の受動歯車および駆動歯車と噛み合う中間歯車がトグルサポート１３０の中央部に回転自在に保持される。
【００３４】
型厚調整機構１８０の動作は、制御装置７００によって制御される。制御装置７００は、型厚調整モータ１８３を駆動して、ねじナット１８２を回転させることで、ねじナット１８２を回転自在に保持するトグルサポート１３０の固定プラテン１１０に対する位置を調整し、固定プラテン１１０とトグルサポート１３０との間隔Ｌを調整する。
【００３５】
尚、本実施形態では、ねじナット１８２がトグルサポート１３０に対し回転自在に保持され、ねじ軸１８１が形成されるタイバー１４０が固定プラテン１１０に対し固定されるが、本発明はこれに限定されない。
【００３６】
例えば、ねじナット１８２が固定プラテン１１０に対し回転自在に保持され、タイバー１４０がトグルサポート１３０に対し固定されてもよい。この場合、ねじナット１８２を回転させることで、間隔Ｌを調整できる。
【００３７】
また、ねじナット１８２がトグルサポート１３０に対し固定され、タイバー１４０が固定プラテン１１０に対し回転自在に保持されてもよい。この場合、タイバー１４０を回転させることで、間隔Ｌを調整できる。
【００３８】
さらにまた、ねじナット１８２が固定プラテン１１０に対し固定され、タイバー１４０がトグルサポート１３０に対し回転自在に保持されてもよい。この場合、タイバー１４０を回転させることで間隔Ｌを調整できる。
【００３９】
間隔Ｌは、型厚調整モータ１８３のエンコーダ１８４を用いて検出する。エンコーダ１８４は、型厚調整モータ１８３の回転量や回転方向を検出し、その検出結果を示す信号を制御装置７００に送る。エンコーダ１８４の検出結果は、トグルサポート１３０の位置や間隔Ｌの監視や制御に用いられる。
【００４０】
型厚調整機構１８０は、互いに螺合するねじ軸１８１とねじナット１８２の一方を回転させることで、間隔Ｌを調整する。複数の型厚調整機構１８０が用いられてもよく、複数の型厚調整モータ１８３が用いられてもよい。
【００４１】
尚、本実施形態の型厚調整機構１８０は、間隔Ｌを調整するため、タイバー１４０に形成されるねじ軸１８１とねじ軸１８１に螺合されるねじナット１８２とを有するが、本発明はこれに限定されない。
【００４２】
例えば、型厚調整機構１８０は、タイバー１４０の温度を調節するタイバー温調器を有してもよい。タイバー温調器は、各タイバー１４０に取付けられ、複数本のタイバー１４０の温度を連携して調整する。タイバー１４０の温度が高いほど、間隔Ｌが大きくなる。複数本のタイバー１４０の温度は独立に調整することも可能である。
【００４３】
タイバー温調器は、例えばヒータなどの加熱器を含み、加熱によってタイバー１４０の温度を調節する。タイバー温調器は、水冷ジャケットなどの冷却器を含み、冷却によってタイバー１４０の温度を調節してもよい。タイバー温調器は、加熱器と冷却器の両方を含んでもよい。
【００４４】
尚、本実施形態の型締装置１００は、型開閉方向が水平方向である横型であるが、型開閉方向が上下方向である竪型でもよい。竪型の型締装置は、下プラテン、上プラテン、トグルサポート、タイバー、トグル機構、および型締モータなどを有する。下プラテンと上プラテンのうち、いずれか一方が固定プラテン、残りの一方が可動プラテンとして用いられる。下プラテンには下金型が取付けられ、上プラテンには上金型が取付けられる。下金型と上金型とで金型装置が構成される。下金型は、ロータリーテーブルを介して下プラテンに取付けられてもよい。トグルサポートは、下プラテンの下方に配設される。トグル機構は、トグルサポートと下プラテンとの間に配設され、可動プラテンを昇降させる。型締モータは、トグル機構を作動させる。タイバーは、上下方向に平行とされ、下プラテンを貫通し、上プラテンとトグルサポートとを連結する。型締装置が竪型である場合、タイバーの本数は通常３本である。尚、タイバーの本数は特に限定されない。
【００４５】
尚、本実施形態の型締装置１００は、駆動源として、型締モータ１６０を有するが、型締モータ１６０の代わりに、油圧シリンダを有してもよい。また、型締装置１００は、型開閉用にリニアモータを有し、型締用に電磁石を有してもよい。
【００４６】
（エジェクタ装置）
エジェクタ装置２００の説明では、型締装置１００の説明と同様に、型閉時の可動プラテン１２０の移動方向（図１および図２中右方向）を前方とし、型開時の可動プラテン１２０の移動方向（図１および図２中左方向）を後方として説明する。
【００４７】
エジェクタ装置２００は、金型装置１０から成形品を突き出す。エジェクタ装置２００は、エジェクタモータ２１０、運動変換機構２２０、およびエジェクタロッド２３０などを有する。
【００４８】
エジェクタモータ２１０は、可動プラテン１２０に取付けられる。エジェクタモータ２１０は、運動変換機構２２０に直結されるが、ベルトやプーリなどを介して運動変換機構２２０に連結されてもよい。
【００４９】
運動変換機構２２０は、エジェクタモータ２１０の回転運動をエジェクタロッド２３０の直線運動に変換する。運動変換機構２２０は、ねじ軸と、ねじ軸に螺合するねじナットとを含む。ねじ軸と、ねじナットとの間には、ボールまたはローラが介在してよい。
【００５０】
エジェクタロッド２３０は、可動プラテン１２０の貫通穴において進退自在とされる。エジェクタロッド２３０の前端部は、可動金型１２の内部に進退自在に配設される可動部材１５と接触する。エジェクタロッド２３０の前端部は、可動部材１５と連結されていても、連結されていなくてもよい。
【００５１】
エジェクタ装置２００は、制御装置７００による制御下で、突き出し工程を行う。
【００５２】
突き出し工程では、エジェクタモータ２１０を駆動してエジェクタロッド２３０を設定速度で前進させることにより、可動部材１５を前進させ、成形品を突き出す。その後、エジェクタモータ２１０を駆動してエジェクタロッド２３０を設定速度で後退させ、可動部材１５を元の位置まで後退させる。エジェクタロッド２３０の位置や速度は、例えばエジェクタモータ２１０のエンコーダ２１１を用いて検出する。エンコーダ２１１は、エジェクタモータ２１０の回転を検出し、その検出結果を示す信号を制御装置７００に送る。
【００５３】
（射出装置）
射出装置３００の説明では、型締装置１００の説明やエジェクタ装置２００の説明とは異なり、充填時のスクリュ３３０の移動方向（図１および図２中左方向）を前方とし、計量時のスクリュ３３０の移動方向（図１および図２中右方向）を後方として説明する。
【００５４】
射出装置３００は、フレームＦｒに対し進退自在なスライドベース３０１に設置され、金型装置１０に対し進退自在とされる。射出装置３００は、金型装置１０にタッチされ、金型装置１０内のキャビティ空間１４に成形材料を充填する。射出装置３００は、例えば、シリンダ３１０、ノズル３２０、スクリュ３３０、計量モータ３４０、射出モータ３５０、圧力検出器３６０などを有する。
【００５５】
シリンダ３１０は、供給口３１１から内部に供給された成形材料を加熱する。供給口３１１はシリンダ３１０の後部に形成される。シリンダ３１０の後部の外周には、水冷シリンダなどの冷却器３１２が設けられる。冷却器３１２よりも前方において、シリンダ３１０の外周には、バンドヒータなどの加熱器３１３と温度検出器３１４とが設けられる。
【００５６】
シリンダ３１０は、シリンダ３１０の軸方向（図１および図２中左右方向）に複数のゾーンに区分される。各ゾーンに加熱器３１３と温度検出器３１４とが設けられる。ゾーン毎に、温度検出器３１４の検出温度が設定温度になるように、制御装置７００が加熱器３１３を制御する。
【００５７】
ノズル３２０は、シリンダ３１０の前端部に設けられ、金型装置１０に対し押し付けられる。ノズル３２０の外周には、加熱器３１３と温度検出器３１４とが設けられる。ノズル３２０の検出温度が設定温度になるように、制御装置７００が加熱器３１３を制御する。
【００５８】
スクリュ３３０は、シリンダ３１０内において回転自在に且つ進退自在に配設される。スクリュ３３０を回転させると、スクリュ３３０の螺旋状の溝に沿って成形材料が前方に送られる。成形材料は、前方に送られながら、シリンダ３１０からの熱によって徐々に溶融される。液状の成形材料がスクリュ３３０の前方に送られシリンダ３１０の前部に蓄積されるにつれ、スクリュ３３０が後退させられる。その後、スクリュ３３０を前進させると、スクリュ３３０前方に蓄積された液状の成形材料がノズル３２０から射出され、金型装置１０内に充填される。
【００５９】
スクリュ３３０の前部には、スクリュ３３０を前方に押すときにスクリュ３３０の前方から後方に向かう成形材料の逆流を防止する逆流防止弁として、逆流防止リング３３１が進退自在に取付けられる。
【００６０】
逆流防止リング３３１は、スクリュ３３０を前進させるときに、スクリュ３３０前方の成形材料の圧力によって後方に押され、成形材料の流路を塞ぐ閉塞位置（図２参照）まで後退する。これにより、スクリュ３３０前方に蓄積された成形材料が後方に逆流するのを防止する。
【００６１】
一方、逆流防止リング３３１は、スクリュ３３０を回転させるときに、スクリュ３３０の螺旋状の溝に沿って前方に送られる成形材料の圧力によって前方に押され、成形材料の流路を開放する開放位置（図１参照）まで前進する。これにより、スクリュ３３０の前方に成形材料が送られる。
【００６２】
逆流防止リング３３１は、スクリュ３３０と共に回転する共回りタイプと、スクリュ３３０と共に回転しない非共回りタイプのいずれでもよい。
【００６３】
尚、射出装置３００は、逆流防止リング３３１を開放位置と閉塞位置との間で進退させる駆動源を有していてもよい。
【００６４】
計量モータ３４０は、スクリュ３３０を回転させる。スクリュ３３０を回転させる駆動源は、計量モータ３４０には限定されず、例えば油圧ポンプなどでもよい。
【００６５】
射出モータ３５０は、スクリュ３３０を進退させる。射出モータ３５０とスクリュ３３０との間には、射出モータ３５０の回転運動をスクリュ３３０の直線運動に変換する運動変換機構などが設けられる。運動変換機構は、例えばねじ軸と、ねじ軸に螺合するねじナットとを有する。ねじ軸とねじナットの間には、ボールやローラなどが設けられてよい。スクリュ３３０を進退させる駆動源は、射出モータ３５０には限定されず、例えば油圧シリンダなどでもよい。
【００６６】
圧力検出器３６０は、射出モータ３５０とスクリュ３３０との間で伝達される圧力を検出する。圧力検出器３６０は、射出モータ３５０とスクリュ３３０との間の力の伝達経路に設けられ、圧力検出器３６０に作用する圧力を検出する。
【００６７】
圧力検出器３６０は、その検出結果を示す信号を制御装置７００に送る。圧力検出器３６０の検出結果は、スクリュ３３０が成形材料から受ける圧力、スクリュ３３０に対する背圧、スクリュ３３０から成形材料に作用する圧力などの制御や監視に用いられる。
【００６８】
射出装置３００は、制御装置７００による制御下で、充填工程、保圧工程、計量工程などを行う。
【００６９】
充填工程では、射出モータ３５０を駆動してスクリュ３３０を設定速度で前進させ、スクリュ３３０の前方に蓄積された液状の成形材料を金型装置１０内のキャビティ空間１４に充填させる。スクリュ３３０の位置や速度は、例えば射出モータ３５０のエンコーダ３５１を用いて検出する。エンコーダ３５１は、射出モータ３５０の回転を検出し、その検出結果を示す信号を制御装置７００に送る。スクリュ３３０の位置が設定位置に達すると、充填工程から保圧工程への切替（所謂、Ｖ／Ｐ切替）が行われる。Ｖ／Ｐ切替が行われる位置をＶ／Ｐ切替位置とも呼ぶ。スクリュ３３０の設定速度は、スクリュ３３０の位置や時間などに応じて変更されてもよい。
【００７０】
尚、充填工程においてスクリュ３３０の位置が設定位置に達した後、その設定位置にスクリュ３３０を一時停止させ、その後にＶ／Ｐ切替が行われてもよい。Ｖ／Ｐ切替の直前において、スクリュ３３０の停止の代わりに、スクリュ３３０の微速前進または微速後退が行われてもよい。
【００７１】
保圧工程では、射出モータ３５０を駆動してスクリュ３３０を前方に押し、スクリュ３３０の前端部における成形材料の圧力（以下、「保持圧力」とも呼ぶ。）を設定圧に保ち、シリンダ３１０内に残る成形材料を金型装置１０に向けて押す。金型装置１０内での冷却収縮による不足分の成形材料を補充できる。保持圧力は、例えば圧力検出器３６０を用いて検出する。圧力検出器３６０は、その検出結果を示す信号を制御装置７００に送る。保持圧力の設定値は、保圧工程の開始からの経過時間などに応じて変更されてもよい。
【００７２】
保圧工程では金型装置１０内のキャビティ空間１４の成形材料が徐々に冷却され、保圧工程完了時にはキャビティ空間１４の入口が固化した成形材料で塞がれる。この状態はゲートシールと呼ばれ、キャビティ空間１４からの成形材料の逆流が防止される。保圧工程後、冷却工程が開始される。冷却工程では、キャビティ空間１４内の成形材料の固化が行われる。成形サイクルの短縮のため、冷却工程中に計量工程が行われてよい。
【００７３】
計量工程では、計量モータ３４０を駆動してスクリュ３３０を設定回転数で回転させ、スクリュ３３０の螺旋状の溝に沿って成形材料を前方に送る。これに伴い、成形材料が徐々に溶融される。液状の成形材料がスクリュ３３０の前方に送られシリンダ３１０の前部に蓄積されるにつれ、スクリュ３３０が後退させられる。スクリュ３３０の回転数は、例えば計量モータ３４０のエンコーダ３４１を用いて検出する。エンコーダ３４１は、その検出結果を示す信号を制御装置７００に送る。
【００７４】
計量工程では、スクリュ３３０の急激な後退を制限すべく、射出モータ３５０を駆動してスクリュ３３０に対して設定背圧を加えてよい。スクリュ３３０に対する背圧は、例えば圧力検出器３６０を用いて検出する。圧力検出器３６０は、その検出結果を示す信号を制御装置７００に送る。スクリュ３３０が計量完了位置まで後退し、スクリュ３３０の前方に所定量の成形材料が蓄積されると、計量工程が完了する。
【００７５】
尚、本実施形態の射出装置３００は、インライン・スクリュ方式であるが、プリプラ方式などでもよい。プリプラ方式の射出装置は、可塑化シリンダ内で溶融された成形材料を射出シリンダに供給し、射出シリンダから金型装置内に成形材料を射出する。可塑化シリンダ内にはスクリュが回転自在にまたは回転自在に且つ進退自在に配設され、射出シリンダ内にはプランジャが進退自在に配設される。
【００７６】
（移動装置）
移動装置４００の説明では、射出装置３００の説明と同様に、充填時のスクリュ３３０の移動方向（図１および図２中左方向）を前方とし、計量時のスクリュ３３０の移動方向（図１および図２中右方向）を後方として説明する。
【００７７】
移動装置４００は、金型装置１０に対し射出装置３００を進退させる。また、移動装置４００は、金型装置１０に対しノズル３２０を押し付け、ノズルタッチ圧力を生じさせる。移動装置４００は、液圧ポンプ４１０、駆動源としてのモータ４２０、液圧アクチュエータとしての液圧シリンダ４３０などを含む。
【００７８】
液圧ポンプ４１０は、第１ポート４１１と、第２ポート４１２とを有する。液圧ポンプ４１０は、両方向回転可能なポンプであり、モータ４２０の回転方向を切り替えることにより、第１ポート４１１および第２ポート４１２のいずれか一方から作動液（例えば油）を吸入し他方から吐出して液圧を発生させる。尚、液圧ポンプ４１０はタンク４１３から作動液を吸引して第１ポート４１１および第２ポート４１２のいずれか一方から作動液を吐出することもできる。
【００７９】
モータ４２０は、液圧ポンプ４１０を作動させる。モータ４２０は、制御装置７００からの制御信号に応じた回転方向および回転トルクで液圧ポンプ４１０を駆動する。モータ４２０は、電動モータであってよく、電動サーボモータであってよい。
【００８０】
液圧シリンダ４３０は、シリンダ本体４３１、ピストン４３２、およびピストンロッド４３３を有する。シリンダ本体４３１は、射出装置３００に対して固定される。ピストン４３２は、シリンダ本体４３１の内部を、第１室としての前室４３５と、第２室としての後室４３６とに区画する。ピストンロッド４３３は、固定プラテン１１０に対して固定される。ピストンロッド４３３が前室４３５を貫通しているため、前室４３５の断面積は後室４３６の断面積より小さい。
【００８１】
液圧シリンダ４３０の前室４３５は、第１流路４０１を介して、液圧ポンプ４１０の第１ポート４１１と接続される。第１ポート４１１から吐出された作動液が第１流路４０１を介して前室４３５に供給されることで、射出装置３００が前方に押される。射出装置３００が前進され、ノズル３２０が固定金型１１に押し付けられる。前室４３５は、液圧ポンプ４１０から供給される作動液の圧力によってノズル３２０のノズルタッチ圧力を生じさせる圧力室として機能する。
【００８２】
一方、液圧シリンダ４３０の後室４３６は、第２流路４０２を介して液圧ポンプ４１０の第２ポート４１２と接続される。第２ポート４１２から吐出された作動液が第２流路４０２を介して液圧シリンダ４３０の後室４３６に供給されることで、射出装置３００が後方に押される。射出装置３００が後退され、ノズル３２０が固定金型１１から離間される。
【００８３】
第１リリーフ弁４４１は、第１流路４０１内の圧力が設定値を超えた場合に開き、第１流路４０１内の余分な作動液をタンク４１３に戻して、第１流路４０１内の圧力を設定値以下に保つ。
【００８４】
第２リリーフ弁４４２は、第２流路４０２内の圧力が設定値を超えた場合に開き、第２流路４０２内の余分な作動液をタンク４１３に戻して、第２流路４０２内の圧力を設定値以下に保つ。
【００８５】
フラッシング弁４４３は、前室４３５の断面積と後室４３６の断面積との差に起因する作動液の循環量の過不足を調整する弁であり、例えば図１および図２に示すように３位置４ポートのスプール弁で構成される。
【００８６】
第１チェック弁４５１は、第１流路４０１内の圧力がタンク４１３内の圧力よりも低い場合に開き、タンク４１３から第１流路４０１に作動液を供給する。
【００８７】
第２チェック弁４５２は、第２流路４０２内の圧力がタンク４１３の圧力よりも低い場合に開き、タンク４１３から第２流路４０２に作動液を供給する。
【００８８】
電磁切替弁４５３は、液圧シリンダ４３０の前室４３５と液圧ポンプ４１０の第１ポート４１１との間の作動液の流れを制御する制御弁である。電磁切替弁４５３は、例えば第１流路４０１の途中に設けられ、第１流路４０１における作動液の流れを制御する。
【００８９】
電磁切替弁４５３は、例えば図１および図２に示すように２位置２ポートのスプール弁で構成される。スプール弁が第１位置（図１および図２中左側の位置）の場合、前室４３５と第１ポート４１１との間の両方向の流れが許容される。一方、スプール弁が第２位置の場合（図１および図２中右側の位置）の場合、前室４３５から第１ポート４１１への流れが制限される。この場合、第１ポート４１１から前室４３５への流れは制限されないが、制限されてもよい。
【００９０】
第１圧力検出器４５５は、前室４３５の液圧を検出する。前室４３５の液圧によってノズルタッチ圧力が生じるため、第１圧力検出器４５５を用いてノズルタッチ圧力が検出できる。第１圧力検出器４５５は、例えば第１流路４０１の途中に設けられ、電磁切替弁４５３を基準として前室４３５側の位置に設けられる。電磁切替弁４５３の状態に関係なく、ノズルタッチ圧力が検出できる。
【００９１】
第２圧力検出器４５６は、第１流路４０１の途中に設けられ、電磁切替弁４５３を基準として第１ポート４１１側の位置に設けられる。第２圧力検出器４５６は、電磁切替弁４５３と第１ポート４１１との間における液圧を検出する。電磁切替弁４５３が第１ポート４１１と前室４３５との間の両方向の流れを許容する状態の場合、第１ポート４１１と電磁切替弁４５３との間における液圧と、電磁切替弁４５３と前室４３５との間における液圧とは等しい。よって、この状態の場合、第２圧力検出器４５６を用いてノズルタッチ圧力が検出できる。
【００９２】
尚、本実施形態では、第１流路４０１の途中に設けられる圧力検出器を用いてノズルタッチ圧力を検出するが、例えばノズル３２０に設けられるロードセルなどを用いてノズルタッチ圧力を検出してもよい。つまり、ノズルタッチ圧力を検出する圧力検出器は、移動装置４００、射出装置３００のいずれに設けられてもよい。
【００９３】
尚、本実施形態では、移動装置４００として、液圧シリンダ４３０が用いられるが、本発明はこれに限定されない。
【００９４】
（制御装置）
制御装置７００は、図１〜図２に示すようにＣＰＵ（Central Processing Unit）７０１と、メモリなどの記憶媒体７０２と、入力インターフェース７０３と、出力インターフェース７０４とを有する。制御装置７００は、記憶媒体７０２に記憶されたプログラムをＣＰＵ７０１に実行させることにより、各種の制御を行う。また、制御装置７００は、入力インターフェース７０３で外部からの信号を受信し、出力インターフェース７０４で外部に信号を送信する。
【００９５】
制御装置７００は、操作装置７５０や表示装置７６０と接続されている。操作装置７５０は、ユーザによる入力操作を受け付け、入力操作に応じた信号を制御装置７００に出力する。表示装置７６０は、制御装置７００による制御下で、操作装置７５０における入力操作に応じた操作画面を表示する。操作画面は、射出成形機の設定などに用いられる。操作画面は、複数用意され、切り替えて表示されたり、重ねて表示されたりする。ユーザは、表示装置７６０で表示される操作画面を見ながら、操作装置７５０を操作することにより射出成形機の設定（設定値の入力を含む）などを行う。操作装置７５０および表示装置７６０は、例えばタッチパネルで構成され、一体化されてよい。尚、本実施形態の操作装置７５０および表示装置７６０は、一体化されているが、独立に設けられてもよい。また、操作装置７５０は、複数設けられてもよい。
【００９６】
（ノズルタッチ）
図３は、一実施形態による射出装置の前進開始時の状態を示す図である。図４は、一実施形態による射出装置の前進途中の状態を示す図である。射出装置の前進完了時の状態を示す図は、図２と同様であるので、省略する。
【００９７】
制御装置７００は、液圧ポンプ４１０を作動させるモータを制御して射出装置３００の前進を制御するため、被検知物８０１、および被検知物８０１の存在を検知する存在検知器８０２を用いる。被検知物８０１は、金型装置１０にノズル３２０がタッチするまでの残りの前進距離Ｄが所定距離Ｄ０であることを示すものである。
【００９８】
図５は、一実施形態による制御装置の処理を示すフローチャートである。図６は、一実施形態による射出装置の前進速度とノズルタッチまでの残りの前進距離との関係を示す図である。図６は、より詳細には、射出装置の前進速度と前進開始からの時間との関係、および残りの前進距離と前進開始からの時間との関係を示す。
【００９９】
図５に示すステップＳ１０１以降の処理は、１ショット毎に行われてよく、例えば図３や図４に示すように型閉完了状態または型締状態で行われてよい。型閉完了状態または型締状態でノズルタッチを行うことで、ノズルタッチによる振動を低減でき、また、ノズルタッチによるノズル３２０からの成形材料の漏出を抑制できる。ノズルタッチ時に金型装置１０が閉じていればよく、成形サイクル短縮のため、制御装置７００は金型装置１０の型閉の途中で射出装置３００の前進を開始してもよい。ここで、ショットとは、成形品を得るための一連の動作をいい、例えば計量の開始から次の計量の開始までの動作をいう。
【０１００】
ステップＳ１０１では、制御装置７００は、射出装置３００の前進を行う。具体的には、例えばモータ４２０を設定回転数で第１方向に回転させ、液圧ポンプ４１０の第１ポート４１１から作動液を吐出して第１流路４０１を介して前室４３５に供給し、射出装置３００を前進させる。このとき、第１流路４０１の途中に設けられる電磁切替弁４５３は、開いている。また、後室４３６の縮小に伴い後室４３６から排出された作動液は、液圧ポンプ４１０を介して前室４３５に送り込まれる。
【０１０１】
ステップＳ１０２では、制御装置７００は、被検知物８０１の存在を存在検知器８０２によって検知したか否かをチェックする。被検知物８０１は、金型装置１０にノズル３２０がタッチするまでの残りの前進距離Ｄが所定距離Ｄ０であることを示すものである。存在検知器８０２が被検知物８０１の存在を検知した時点で、残りの前進距離Ｄは所定距離Ｄ０となる。
【０１０２】
被検知物８０１は、存在検知器８０２によって存在を検知される被検知面を有する。検知面の法線方向は、前後方向に対し垂直とされる。被検知面の法線方向から見たときに、図４に示すように被検知物８０１と存在検知器８０２とが重なると、存在検知器８０２が被検知物８０１の存在を検知する。存在検知器８０２としては、非接触式の近接スイッチが用いられるが、接触式のスイッチが用いられてもよい。
【０１０３】
被検知物８０１および存在検知器８０２は、一方（本実施形態では存在検知器８０２）が射出装置３００と共に進退し、他方（本実施形態では被検知物８０１）が射出装置３００を進退自在に支持するフレームＦｒに取付けられる。フレームＦｒに対する被検知物８０１の取付けでは、下記の（１）〜（３）が行われてもよい。（１）ノズル３２０を低速で前進させて金型装置１０にタッチさせ、ノズル３２０の前進を停止させる。（２）射出装置３００に予め取付けられた存在検知器８０２によって存在を検知できる、被検知物８０１の位置を探す。（３）被検知物８０１の位置を、存在検知器８０２によって存在を検知できた位置から後方に所定距離Ｄ０だけずらして固定する。尚、フレームＦｒに対し被検知物８０１の代わりに存在検知器８０２を取付ける場合の取付方法も同様である。
【０１０４】
ところで、金型装置１０の交換やシリンダ３１０の交換などが行われると、金型装置１０のノズル３２０に接触する部分の形状やシリンダ３１０の長さが変わることがある。そのため、存在検知器８０２が被検知物８０１を検知した時点での、残りの前進距離Ｄが所定距離Ｄ０からずれることがある。
【０１０５】
そこで、射出成形機は、存在検知器８０２および被検知物８０１のうちフレームＦｒに取付けられるもの（本実施形態では被検知物８０１）の取付位置を前後方向に調整する調整機構８０３を備えてもよい。金型装置１０の交換やシリンダ３１０の交換などが行われたときに、存在検知器８０２および被検知物８０１の位置関係を容易に修正できる。
【０１０６】
調整機構８０３は、例えば被検知物８０１を支持する支持板８０４と、支持板８０４をフレームＦｒに固定するボルト８０５とを含む。支持板８０４は、前後方向に長い長穴８０６を有する。ボルト８０５は、長穴８０６に挿通されるねじ部と、長穴８０６の縁部で受け止められる頭部とを含む。ボルト８０５のねじ部は、フレームＦｒに形成されるねじ穴に螺合される。ボルト８０５の頭部は、支持板８０４を基準としてフレームＦｒとは反対側に設けられ、フレームＦｒとの間に支持板８０４を挟んで固定する。
【０１０７】
ボルト８０５を緩めると、フレームＦｒに対し支持板８０４を前後方向に移動でき、支持板８０４に支持される被検知物８０１の取付位置を前後方向に移動できる。一方、ボルト８０５を絞めると、フレームＦｒに対し支持板８０４を固定でき、支持板８０４に支持される被検知物８０１の取付位置を固定できる。
【０１０８】
尚、本実施形態のフレームＦｒには、ボルト８０５のねじ部が螺合されるねじ穴が形成されるが、ボルト８０５のねじ部が固定されていてもよい。このねじ部は、支持板８０４の長穴に挿通され、支持板８０４のフレームＦｒとは反対側に設置されるナットに螺合する。ナットは、フレームＦｒとの間に支持板８０４を挟んで固定する。ナットを緩めるとフレームＦｒに対し支持板８０４を前後方向に移動でき、ナットを締めるとフレームＦｒに対し支持板８０４を固定できる。
【０１０９】
尚、射出成形機は、存在検知器８０２および被検知物８０１のうち射出装置３００に取付けられるもの（本実施形態では存在検知器８０２）の取付位置を前後方向に調整する調整機構を備えてもよい。この調整機構は、上記調整機構８０３と同様に構成されるので、図示や説明を省略する。
【０１１０】
ステップＳ１０２において被検知物８０１の存在を検知していない場合（ステップＳ１０２、Ｎｏ）、残りの前進距離Ｄが所定距離Ｄ０よりも長いため、制御装置７００はステップＳ１０１に戻り、ステップＳ１０１以降の処理を続行する。
【０１１１】
一方、ステップＳ１０２において被検知物８０１の存在を検知している場合（ステップＳ１０２、Ｙｅｓ）、残りの前進距離Ｄが所定距離Ｄ０になっているため、制御装置７００は、ステップＳ１０３に進む。
【０１１２】
ステップＳ１０３では、制御装置７００は、被検知物８０１の存在を検知してからの経過時間が予め設定された遅延時間に達したか否かをチェックする。遅延時間は、被検知物８０１の存在の検知から、射出装置３００の前進速度の低下までの時間のことである。遅延時間は、射出装置３００の前進速度（射出装置３００の前進速度を表すモータ４２０の回転数を含む）や所定距離Ｄ０などに応じて設定され、ノズルタッチの前に射出装置３００の前進速度を低下できるように設定される。制御装置７００は、例えば操作画面での入力操作に応じて、遅延時間を設定する。尚、遅延時間は設定されていなくてもよく、その場合、制御装置７００は遅延時間をゼロとして扱う。
【０１１３】
ステップＳ１０３において遅延時間が経過していない場合（ステップＳ１０３、Ｎｏ）、残りの前進距離Ｄに余裕があるため、制御装置７００はステップＳ１０４に進み射出装置３００を前進させる。ステップＳ１０４では、ステップＳ１０１と同様にモータ４２０を設定回転数で第１方向に回転させる。その後、制御装置７００は、ステップＳ１０３に戻り、ステップＳ１０３以降の処理を続行する。
【０１１４】
一方、ステップＳ１０３において遅延時間が経過している場合（ステップＳ１０３、Ｙｅｓ）、残りの前進距離Ｄが僅かであるので、制御装置７００はステップＳ１０５に進み射出装置３００の前進速度を低下させる。具体的には、例えばモータ４２０を第１方向に回転させる回転数を小さくする。回転数は、連続的に小さくしてもよいし、不連続に小さくしてもよい。射出装置３００の前進速度は、被検知物８０１の存在を検知する前の前進速度に比べて低下させられる。これにより、前室４３５に送り込まれる作動液の流量を減量でき、射出装置３００の前進速度を低下できる。
【０１１５】
その後、ステップＳ１０６では、制御装置７００は、射出装置３００をさらに前進させ、ノズルタッチを行う。そして、ノズルタッチ圧力が設定圧力になると、制御装置７００は電磁切替弁４５３を閉じモータ４２０を停止させる。モータ４２０の停止後も、電磁切替弁４５３が前室４３５から第１ポート４１１への作動液の流れを制限するため、ノズルタッチ圧力が設定圧力に保たれる。
【０１１６】
最後に、ステップＳ１０７では、制御装置７００は、射出装置３００の後退を行う。具体的には、例えばモータ４２０を第１方向とは逆方向である第２方向に設定回転数で回転させ、液圧ポンプ４１０の第２ポート４１２から作動液を吐出して第２流路４０２を介して後室４３６に供給し、射出装置３００を設定時間後退させる。このとき、第１流路４０１の途中に設けられる電磁切替弁４５３は開いており、前室４３５の縮小に伴い前室４３５から排出された作動液は液圧ポンプ４１０を介して後室４３６に送り込まれる。射出装置３００の後退は、例えば計量工程の完了と同時に行われる。金型装置１０からノズル３２０を後退させることで、金型装置１０の内部に充填された成形材料を脱圧できる。尚、射出装置３００の後退は、成形サイクルの短縮のため、計量工程の途中で行われてもよい。この場合も、金型装置１０の内部に充填された成形材料を脱圧できる。
【０１１７】
その後、制御装置７００は、今回の処理を終了する。尚、本実施形態では、１ショット毎に射出装置３００の進退を行うが、成形サイクルを繰り返し行う連続運転の開始時に射出装置３００の前進を行い、連続運転の終了時に射出装置３００の後退を行ってもよい。
【０１１８】
以上説明したように、本実施形態の制御装置７００は、液圧ポンプ４１０を作動させるモータを制御して射出装置３００の前進を制御するため、被検知物８０１、および被検知物８０１の存在を検知する存在検知器８０２を用いる。被検知物８０１は、金型装置１０にノズル３２０がタッチするまでの残りの前進距離Ｄが所定距離Ｄ０であることを示すものである。具体的には、制御装置７００は、存在検知器８０２の検知結果に基づき、金型装置１０にノズル３２０がタッチする前に、液圧ポンプ４１０の回転数を小さくすることにより射出装置３００の前進速度を低下させる。よって、ノズルタッチの直前まで高速でノズル３２０を前進させることができ、ノズルタッチ時には低速でノズル３２０を前進させることができる。その結果、ノズルタッチ時間の短縮と、ノズルタッチによる衝撃の低減とを両立することができる。特に、１ショット毎にノズル３２０の進退を行う場合に、成形サイクルの短縮と、ノズルタッチによる衝撃の低減とを両立することができる。ここで、成形サイクルとは、１回のショットに要する時間のことであり、例えば計量の開始から次の計量の開始までの時間のことである。
【０１１９】
また、本実施形態の制御装置７００は、存在検知器８０２による被検知物８０１の存在の検知から、射出装置３００の前進速度の低下までの遅延時間を設定する。よって、射出装置３００の速度を低下させるタイミングを微調整でき、そのタイミングをできるだけ遅らせることができ、ノズルタッチ時間をより短縮できる。特に、１ショット毎にノズル３２０の進退を行う場合に、成形サイクルを短縮できる。射出装置３００の前進速度の切り替えが早いと、成形サイクルが長くなる分、ノズルタッチ時の衝撃は小さくなる。一方、射出装置３００の前進速度の切り替えが遅いと、ノズルタッチ時の衝撃は比較的大きくなるが、成形サイクルが短くなるので、移動時間とノズルタッチ時の衝撃の緩和の調整を行うことができる。
【０１２０】
被検知物８０１および存在検知器８０２は、一方が射出装置３００と共に進退し、他方が射出装置３００を進退自在に支持するフレームＦｒに取付けられる。
【０１２１】
射出成形機は、存在検知器８０２および被検知物８０１のうちフレームＦｒに取付けられるものの取付位置を前後方向に調整する調整機構８０３を備えてもよい。金型装置１０の交換やシリンダ３１０の交換などが行われたときに、存在検知器８０２および被検知物８０１の位置関係を容易に修正できる。
【０１２２】
また、射出成形機は、存在検知器８０２および被検知物８０１のうち射出装置３００に取付けられるものの取付位置を前後方向に調整する調整機構を備えてもよい。この場合も、金型装置１０の交換やシリンダ３１０の交換などが行われたときに、存在検知器８０２および被検知物８０１の位置関係を容易に修正できる。
【０１２３】
射出成形機は、フレームＦｒに取付けられるものの取付位置を前後方向に調整する調整機構８０３と、および射出装置３００に対し取付けられるものの取付位置を調整する調整機構のいずれか一方のみを有していてもよいし、両方を有していてもよい。
【０１２４】
（変形および改良）
以上、射出成形機の実施形態等について説明したが、本発明は上記実施形態等に限定されるものではなく、特許請求の範囲に記載された本発明の要旨の範囲内において、種々の変形、改良が可能である。
【符号の説明】
【０１２５】
１０    金型装置
３００  射出装置
３１０  シリンダ
３２０  ノズル
４００  移動装置
４１０  液圧ポンプ
４２０  モータ
４３０  液圧シリンダ
７００  制御装置
８０１  被検知物
８０２  存在検知器
８０３  調整機構
【図１】
2018122507.tif 000003
【図２】
2018122507.tif 000004
【図３】
2018122507.tif 000005
【図４】
2018122507.tif 000006
【図５】
2018122507.tif 000007
【図６】
2018122507.tif 000008